(57)【要約】【課題】温度切替室が冷気循環用の送風機よりも下方に配置されていても、温度切替室での冷却効率を悪化させることなく、冷気供給量調整用のダンパーへの露付きを防止できるようにすること。【解決手段】断熱箱体１内部の貯蔵空間に上下に複数の貯蔵室を形成し、これら貯蔵室後方の断熱箱体１内部に配置された冷却器２２で生成された冷気を前記複数の貯蔵室に循環させるための送風機２１と冷気ダクト２４とを配置し、複数の貯蔵室のうちの一つを冷凍から冷蔵までの温度切替えが可能な温度切替室１２とする。そして、送風機２１よりも下方に配置されているこの温度切替室１２の上部に冷気ダクト２４からの冷気が供給される天面ダクト３１を設け、この天面ダクト３１と冷気ダクト２４との接続部３３に天面ダクト３１よりも低い冷気溜め部３２を設け、この冷気溜め部３２に温度切替室１２への冷気供給量を調整するダンパー３４を設けている。【選択図】図２
2012127629.tif 000002
【特許請求の範囲】
【請求項１】
断熱箱体内部の貯蔵空間に上下に仕切られた複数の貯蔵室を形成し、これら貯蔵室後方の前記断熱箱体内部に冷却器を配置すると共に、この冷却器で生成された冷気を前記複数の貯蔵室に循環させるための送風機と冷気ダクトとを配置し、前記複数の貯蔵室のうちの一つを冷凍から冷蔵までの温度切替えが可能な温度切替室とし、且つ、この温度切替室が前記送風機よりも下方に配置されている冷却貯蔵庫であって、前記温度切替室の上部に前記冷気ダクトからの冷気が供給される天面ダクトを設け、この天面ダクトと前記冷気ダクトとの接続部に前記天面ダクトよりも低い空間を設け、この空間に前記冷気ダクトからの前記天面ダクトを介する前記温度切替室への冷気供給量を調整するために吹出し口の開閉の度合が変更可能なダンパーを設けたことを特徴とする冷却貯蔵庫。
【請求項２】
前記ダンパーが開閉する前記吹出し口の周囲に、露付き防止用のヒータを配設したことを特徴とする請求項１に記載の冷却貯蔵庫。
【発明の詳細な説明】
【技術分野】
【０００１】
本発明は、断熱箱体内部の貯蔵空間に上下に仕切られた複数の貯蔵室を形成し、これら貯蔵室後方の前記断熱箱体内部に冷却器を配置すると共に、この冷却器で生成された冷気を前記複数の貯蔵室に循環させるための送風機と冷気ダクトとを配置し、前記複数の貯蔵室のうちの一つを冷凍から冷蔵までの温度切替えが可能な温度切替室とし、且つ、この温度切替室が前記送風機よりも下方に配置されている冷却貯蔵庫に関する。
【背景技術】
【０００２】
この種の冷却貯蔵庫は、複数の貯蔵室のうちの一つを冷凍から冷蔵までの温度切替えが可能な温度切替室とし、温度切替室への冷気供給量をダンパーで調整することにより、温度切替室の温度を、例えばマイナス２０°C以上の冷凍温度帯からプラス５°C以下の冷蔵温度帯まで幅広く調整できるようにしている。この場合、温度切替室は収納容量が小さく、冷却器で生成された冷気をこの温度切替室に循環させるための送風機よりも高い位置に設置されるのが一般的である（特許文献１参照）。
【先行技術文献】
【特許文献】
【０００３】
【特許文献１】特開２００７−２１２０５３号公報
【発明の概要】
【発明が解決しようとする課題】
【０００４】
しかしながら、温度切替室の容量を大きくするために断熱箱体内下部の貯蔵空間を温度切替室とすることもあり、この場合には温度切替室が送風機よりも下方に配置されることになるため、温度切替室が冷蔵で使用されている温度条件下では温度切替室内の温度上昇に伴い、ダンパーが暖気に曝されてダンパーに露が付き、露が凍ってダンパーが霜付き状態になる心配があった。また、ダンパーが閉じたときに送風機が運転していると温度切替室側と冷気ダクト側との温度差によってダンパーに露が付き、露が凍ってダンパーが霜付き状態になる心配があった。
【０００５】
この場合、冷気ダクトの吹き出し口に冷気トラップを設けるようにすれば、ダンパーへの露付きを防止できるが、通風抵抗が増大して温度切替室での冷却効率が悪くなる問題があった。
【０００６】
そこで本発明は、温度切替室が冷気循環用の送風機よりも下方に配置されていても、温度切替室での冷却効率を悪化させることなく、冷気供給量調整用のダンパーへの露付きを防止できるようにすることを目的とする。
【課題を解決するための手段】
【０００７】
このため第１の発明は、断熱箱体内部の貯蔵空間に上下に仕切られた複数の貯蔵室を形成し、これら貯蔵室後方の前記断熱箱体内部に冷却器を配置すると共に、この冷却器で生成された冷気を前記複数の貯蔵室に循環させるための送風機と冷気ダクトとを配置し、前記複数の貯蔵室のうちの一つを冷凍から冷蔵までの温度切替えが可能な温度切替室とし、且つ、この温度切替室が前記送風機よりも下方に配置されている冷却貯蔵庫であって、前記温度切替室の上部に前記冷気ダクトからの冷気が供給される天面ダクトを設け、この天面ダクトと前記冷気ダクトとの接続部に前記天面ダクトよりも低い空間を設け、この空間に前記冷気ダクトからの前記天面ダクトを介する前記温度切替室への冷気供給量を調整するために吹出し口の開閉の度合が変更可能なダンパーを設けたことを特徴とする。
【０００８】
第２の発明は、第１の発明において、前記ダンパーが開閉する前記吹出し口の周囲に、露付き防止用のヒータを配設したことを特徴とする。
【発明の効果】
【０００９】
本発明は、温度切替室が冷気循環用の送風機よりも下方に配置されていても、温度切替室での冷却効率を悪化させることなく、冷気供給量調整用のダンパーへの露付きを防止できるようにすることができる。
【図面の簡単な説明】
【００１０】
【図１】冷却貯蔵庫の正面図である。
【図２】図１の冷却貯蔵庫の要部の縦断面せる右側面図である。
【図３】断熱箱体内に組み込まれるファンダクト組立体の斜視図である。
【発明を実施するための形態】
【００１１】
以下、本発明における冷却貯蔵庫の実施の形態を、図１乃至図３を用いて説明する。図１乃至図３に示すように、冷凍貯蔵室及び冷蔵貯蔵室を備えた冷却貯蔵庫の本体は、前面が開口している断熱箱体１で構成されている。この断熱箱体１は断熱壁で形成され、内箱２と外箱３との間の空間内に発泡ウレタン等の断熱材４を充填したものである。
【００１２】
そして、前記断熱箱体１の内部空間、即ち庫内となる貯蔵室は、略水平な断熱材が充填された３個の水平仕切壁５、６、７で上下４つの空間に仕切られ、最上部空間が冷蔵室８、上から２段目の空間が断熱材が充填された垂直仕切壁９により左右に仕切られて製氷室１０及び第１冷凍室１１、上から３段目の空間が温度切替室１２、また最下部空間が第２冷凍室１３となっている。
【００１３】
そして、前記冷蔵室８の前面開口は観音開きの断熱扉１５で開閉自在に閉塞され、製氷室１０、第１冷凍室１１、温度切替室１２、及び第２冷凍室１３の前面開口は、それぞれ引き出し式の断熱扉１６乃至１９で開閉自在に閉塞されている。
【００１４】
前記冷蔵室８後方の断熱箱体１内奥部には、この冷蔵室８内に冷気を供給する冷蔵室用通風ダクト、送風機及び冷却器（共に図示せず）が設けられている。また、前記製氷室１０、第１冷凍室１１、温度切替室１２、及び第２冷凍室１３後方の断熱箱体１内奥部には、送風機２１を備えると共に冷却器２２が配設され、且つ第１冷気ダクト２３、この第１冷気ダクト２３上部と連通する第２冷気ダクト２４、及び第２冷凍室１３に連通するとともに前記第１冷気ダクト２３下部に連通する戻りダクト２５が形成されたファンダクト組立体２６（図３参照）が配置されている。
【００１５】
前記ファンダクト組立体２６の前面には、第２冷気ダクト２４に連通して前記製氷室１０に冷気を供給するための製氷室用吹出し口２７Ａと吸込口２７Ｂ、同じく第１冷凍室１１に冷気を供給するための冷凍室用吹出し口２８Ａと吸込口２８Ｂ、同じく温度切替室１２に冷気を供給するための温度切替室用吹出し口２９Ａと吸込口２９Ｂ、同じく第２冷凍室１３に冷気を供給するための第２冷凍室用吹出しダクト３０と上述した戻りダクト２５とが形成されている。
【００１６】
温度切替室１２の上部には複数の吹出し口が開設された天面ダクト３１が水平仕切壁６に沿って略平行に取り付けられている。この天面ダクト３１は接続部となる温度切替室用吹出し口２９Ａ側を下方に窪ませることによって天面ダクト３１よりも低い位置に冷気を溜める空間を形成する冷気溜め部３２が一体に形成されており、ファンダクト組立体２６の温度切替室用吹出し口２９Ａ周縁に設けた筒状の天面ダクト接続部３３を冷気溜め部３２内の空間に臨ませてある。そして、この天面ダクト接続部３３内に冷気供給量調整用のダンパー３４が駆動モータを含む駆動機構（図示せず）により温度切替室用吹出し口２９Ａを開閉可能に、且つ吹出し口２９Ａの開閉の度合が変更可能に設置されている。また、露付き防止用の電気ヒータ３５が、ファンダクト組立体２６内の吹出し口２９Ａの周囲に埋設されて設けられている。
【００１７】
また、前記両冷却器２２（他方は図示せず）は圧縮機、凝縮器、キャピラリーチューブ等の減圧装置、及びアキュムレータ等の気液分離器などとともに順次冷媒配管で接続された冷凍サイクルユニットを構成するものであり、この冷凍サイクルユニットにおいて減圧装置と気液分離器の間に接続され、蒸発器として作用するものである。そして、圧縮機及び凝縮器等は断熱箱体１の後部下側に形成されている機械室３６に蒸発皿（図示せず）とともに配置されている。
【００１８】
そして、上方の冷却器（図示せず）で生成された冷気は送風機により冷蔵室用通風ダクトを介して前記冷蔵室８内に供給され、冷蔵室用通風ダクト下部を介して戻り、また下方の前記冷却器２２で生成された冷気は送風機２１の運転により第１冷気ダクト２３及び第２冷気ダクト２４を経て、各吹出し口２７Ａ、２８Ａ、２９Ａ及び吹出しダクト３０を介して製氷室１０、第１冷凍室１１、温度切替室１２及び第２冷凍室１３に供給され、これらの貯蔵室内を冷却した後に、吸込口２７Ｂ、２８Ｂ、２９Ｂ及び戻りダクト２５を介して前記第１冷気ダクト２３の下部に戻る構成である。
【００１９】
そして、前記冷蔵室８は冷気供給量をダンパー等で調節することにより室温が、例えば５°Ｃ前後に維持され、第１冷凍室１１は室温がマイナス７°Ｃ程度に維持され、温度切替室１２はダンパー３４の開度切換えにより室温がマイナス２０°Ｃ〜プラス５°Ｃの範囲で切り換えて使用され、第２冷凍室１３は室温がマイナス２０°Ｃ程度に維持されるようにしてある。
【００２０】
また、前記冷却器２２の下方には除霜ヒータ３７が設けられ、この除霜ヒータ３７はタイマー等によって設定された霜取り時や、霜取りセンサ（図示せず）が一定量の霜を検出した時に通電されて発熱し、冷却器２２などに付着した霜を融かすものである。
【００２１】
そして、機械室３６の上壁である断熱箱体１の底壁には、この冷却器２２などから滴下するドレン水を受けるためにドレン受け部３８が形成され、このドレン受け部３８は排水口３９に向けて低く形成されている。そして、このドレン受け部３８の排水口３９に連結されたゴム製のドレンパイプ４０が前記底壁を貫通して貯蔵室外の機械室３６に導出されている。前記ドレン受け部３８のドレン水はドレンパイプ４０を通って、このドレンパイプ４０に連通された排水管４１を介して機械室３６に配備されている蒸発皿（図示せず）に導かれて回収されるようにしてある。
【００２２】
本実施形態のものでは、第２冷気ダクト２４の温度切替室用吹出し口２９Ａからの冷気がダンパー３４でその供給量が調整されて温度切替室１２に天面ダクト３１を介して供給されるので、温度切替室１２内部の食品を冷凍温度から冷蔵温度までの設定された温度になるように均一に、かつ効率良く冷却保存でき、しかも、冷気溜め部３２が冷気トラップとなることもなく、滑らかに冷気を天面ダクト３１に導くので、通風抵抗を極力小さくできるようにしている。
【００２３】
また、天面ダクト３１の温度切替室用吹出し口２９Ａ側を下方に窪ませることによって形成した冷気溜め部３２内の空間に温度切替室用吹出し口２９Ａ周縁の天面ダクト接続部３３を臨ませ、この天面ダクト接続部３３内に冷気供給量調整用のダンパー３４を設置しているので、第１冷凍室１１よりも貯蔵容量を大きくするために温度切替室１２が冷気循環用の送風機２１よりも下方に設置されているにも拘わらず、ダンパー３４の露付きを防止でき、露が凍って霜が付着することによるダンパー３４の動作不良等を防止することができる。
【００２４】
即ち、温度切替室１２にて冷蔵温度帯での食品保存をしている場合に、各貯蔵室の温度調整のために送風機２１が運転を停止すると、温度切替室１２の上昇した暖気が天面ダクト３１内に入り込むことになるが、ダンパー３４は天面ダクト３１よりも低い位置に一体形成された冷気溜め部３２内の空間に臨ませた天面ダクト接続部３３内に設置されているので、ダンパー３４のバッフル面が暖気に曝されないようにでき、ダンパー３４に露が付かないようにできる。
【００２５】
また、温度切替室１２の室温が設定された温度になると、ダンパー３４が閉じることになり、このとき送風機２１が運転している場合にはダンパー３４の片側のバッフル面が第２冷気ダクト２４の冷気に曝されるが、ダンパー３４が天面ダクト３１よりも低い位置に一体形成された冷気溜め部３２内にあるため、ダンパー３４の両バッフル面の温度差を小さく保ってダンパー３４に露が付かないようにできる。しかも、ダンパー３４の周囲には露付き防止用の電気ヒータ３５を取り付けられているので、電気ヒータ３５への僅かな通電によってダンパー３４周辺の温度変動や温度差を小さくしてでき、より確実にダンパー３４への露付きを防止することができる。
【００２６】
以上の実施形態によれば、天面ダクトと冷気ダクトとの接続部に設けた前記天面ダクトよりも低い空間にダンパーを配置し、冷気ダクトの冷気をダンパー及び天面ダクトを介して通風抵抗を増大させることなく温度切替室にスムーズに供給させるようにしつつ、ダンパー設置部分が冷気溜まりとなってこの部分での温度変動を小さくできるため、温度切替室の温度上昇時にダンパーが暖気に曝されることによるダンパーへの露付きや、温度切替室と冷気ダクトとの温度差によるダンパーへの露付きを防止できる。更には、前記ダンパーが開閉する前記吹出し口の周囲に露付き防止用のヒータを取り付けることによって、より確実にダンパーへの露付きを防止できるものであり、温度切替室の配置の制約がなくなり、設計自由度の向上を図ることができる。
【００２７】
以上のように本発明の実施態様について説明したが、上述の説明に基づいて当業者にとって種々の代替例、修正又は変形が可能であり、本発明はその趣旨を逸脱しない範囲で前述の種々の代替例、修正又は変形を包含するものである。
【符号の説明】
【００２８】
１      断熱箱体
２      内箱
３      外箱
４      断熱材
６、７  水平仕切壁
１１    第１冷凍室（貯蔵室）
１２    温度切替室
１３    第２冷凍室
２１    送風機
２２    冷却器
２４    第２冷気ダクト
３１    天面ダクト
３２    冷気溜め部
３３    天面ダクト接続部
３４    ダンパー
３５    電気ヒータ
【図１】
2012127629.tif 000003
【図２】
2012127629.tif 000004
【図３】
2012127629.tif 000005